(57)【要約】【課題】  電力量計の導通試験および絶縁抵抗試験を効率よく実施することができ、信頼性の高い導通試験および絶縁抵抗試験を実現する。【解決手段】  電力量計本体であるベース５の下部に接続端子６Ｓ〜８Ｓ，６Ｌ〜８Ｌを配列させた端子部１４が設けられ、その端子部１４の下端面に接続端子６Ｓ〜８Ｓ，６Ｌ〜８Ｌごとの開口孔１５を形成した電力量計１に対して、接続端子６Ｓ〜８Ｓ，６Ｌ〜８Ｌに試験端子２４を着脱自在に接続することにより、電力量計１の導通試験および絶縁抵抗試験を実施可能とした電力量計試験装置であって、電力量計１が載置され、水平方向に対して所定の角度だけ傾斜した架台２３と、その架台２３の下部に電力量計１の接続端子６Ｓ〜８Ｓ，６Ｌ〜８Ｌと対応させて配設された複数の試験端子２４とを備え、その試験端子２４は、電力量計１を架台２３上に載置することにより電力量計１の自重でもって端子部１４の開口孔１５に挿入されて接続端子６Ｓ〜８Ｓ，６Ｌ〜８Ｌに電気的に接続される棒状をなす。【選択図】    図７
2013044556.tif 000002
【特許請求の範囲】
【請求項１】
電力量計本体の下部に複数の接続端子を配列させた端子部が設けられ、前記端子部の下端面に接続端子ごとの開口孔を形成した電力量計に対して、前記接続端子に試験端子を着脱自在に接続することにより、前記電力量計の導通試験および絶縁抵抗試験を実施可能とした電力量計試験装置であって、
前記電力量計が載置され、水平方向に対して所定の角度だけ傾斜した架台と、前記架台の下部に前記電力量計の接続端子と対応させて配設された複数の試験端子とを備え、前記試験端子は、電力量計を架台上に載置することにより前記電力量計の自重でもって前記端子部の開口孔に挿入されて前記接続端子に電気的に接続される棒状をなすことを特徴とする電力量計試験装置。
【請求項２】
前記試験端子は架台に対して着脱自在に装着され、前記接続端子の数および配列ピッチが異なる電力量計の種別に対応した複数種の試験端子を架台に着脱可能とした請求項１に記載の電力量計試験装置。
【請求項３】
前記架台の側部に、前記電力量計本体の導電部位に電気的に接続されるアース端子を配設した請求項１又は２に記載の電力量計試験装置。
【請求項４】
前記試験端子は、電力量計の導通試験時に接点を閉成して導通試験を実施可能とする導通試験用リレーと、電力量計の絶縁抵抗試験時に接点を閉成して絶縁抵抗試験を実施可能とする絶縁抵抗試験用リレーとに接続されている請求項１〜３のいずれか一項に記載の電力量計試験装置。
【発明の詳細な説明】
【技術分野】
【０００１】
本発明は、例えば、一般家庭や工場などの電力需要家に設置される各種の電力量計について導通試験および絶縁抵抗試験を実施するための電力量計試験装置に関する。
【背景技術】
【０００２】
例えば、一般家庭、商店、工場やビルなどの電力需要家が使用する電力量を計測して表示する電力量計として、その使用電力量に応じて円板が回転して使用電力量を指標する機械式電力量計や、電気取引メニューの多様化への対応を容易にするため、電子回路を搭載した電子式電力量計がある。また、これら機械式電力量計や電子式電力量計とは別に、ソケット構造を備えたベースに電力量計ユニットを含む各種ユニットを組み付けたユニット式電力量計が知られている（例えば、特許文献１参照）。
【０００３】
この種のユニット式電力量計１は、図１３および図１４に示すように、通信端局ユニット２、電力量計ユニット３および負荷開閉ユニット４が金属製ベース５の上部に組み付けられると共に、送電系統からの引き込み線が接続される一次側接続端子６Ｓ〜８Ｓおよび需要家側配線が接続される二次側接続端子６Ｌ〜８Ｌを有する樹脂製の端子ブロック９がベース５の下部に固着された構造を具備する。
【０００４】
このユニット式電力量計１では、通信端局ユニット２、電力量計ユニット３および負荷開閉ユニット４を被覆する透明の保護カバー１０がねじ１１によりベース５の上部に締め付け固定される。また、一次側接続端子６Ｓ〜８Ｓおよび二次側接続端子６Ｌ〜８Ｌを被覆する金属製の端子カバー１２を端子ブロック９にねじ１３で取り付けることにより、端子部１４を構成する。この端子部１４における端子ブロック９の下端面に形成された開口孔１５から、送電系統からの引込み線が一次側接続端子６Ｓ〜８Ｓに接続されると共に、需要家側配線が二次側接続端子６Ｌ〜８Ｌに接続される。
【先行技術文献】
【特許文献】
【０００５】
【特許文献１】特開２００６−１７０７８７号公報
【発明の概要】
【発明が解決しようとする課題】
【０００６】
ところで、前述したユニット式電力量計１は、例えば、工場出荷前に導通試験および絶縁抵抗試験を実施するのが一般的である。従来、ユニット式電力量計１の導通試験は、例えばテスターを利用して作業者がテスターのテストピンを端子部１４の一次側接続端子６Ｓ〜８Ｓと二次側接続端子６Ｌ〜８Ｌに当接させることにより、一次側接続端子６Ｓ〜８Ｓと二次側接続端子６Ｌ〜８Ｌ間での導通の有無を確認するようにしていた。
【０００７】
また、ユニット式電力量計１の絶縁抵抗試験も、絶縁抵抗計を利用して作業者が絶縁抵抗計のテストピンを端子部１４の二次側接続端子６Ｌ〜８Ｌに当接させることにより、二次側接続端子６Ｌ〜８Ｌと大地間での絶縁抵抗が所定値以上であるか否かを確認するようにしていた。
【０００８】
しかしながら、前述した導通試験および絶縁抵抗試験のいずれにおいても、従来では、作業者が電力量計１の一つ一つについてテストピンを一次側接続端子６Ｓ〜８Ｓおよび二次側接続端子６Ｌ〜８Ｌに当接させる手作業となっていたことから、作業効率が悪く、テストピンが一次側接続端子６Ｓ〜８Ｓおよび二次側接続端子６Ｌ〜８Ｌに確実に接触していない状態が発生し易く、信頼性が低いという問題があった。
【０００９】
また、従来では、製造途中の工程において、端子部１４の端子カバー１２を装着する前の段階で、作業者がテストピンを一次側接続端子６Ｓ〜８Ｓおよび二次側接続端子６Ｌ〜８Ｌに当接させることにより、導通試験および絶縁抵抗試験を実施するのが通常であった。しかしながら、製造途中の工程で導通試験および絶縁抵抗試験を実施するよりも、端子部１４の端子カバー１２を取り付けた状態、つまり、製品出荷直前の最終段階で導通試験および絶縁抵抗試験を実施することが要望されているのが現状であった。
【００１０】
そこで、本発明は前述の問題点に鑑みて提案されたもので、その目的とするところは、電力量計の導通試験および絶縁抵抗試験を効率よく実施することができ、信頼性の高い導通試験および絶縁抵抗試験を実現し得る電力量計試験装置を提供することにある。
【課題を解決するための手段】
【００１１】
前述の目的を達成するための技術的手段として、本発明は、電力量計本体の下部に複数の接続端子を配列させた端子部が設けられ、その端子部の下端面に接続端子ごとの開口孔を形成した電力量計に対して、接続端子に試験端子を着脱自在に接続することにより、電力量計の導通試験および絶縁抵抗試験を実施可能とした電力量計試験装置であって、電力量計が載置され、水平方向に対して所定の角度だけ傾斜した架台と、その架台の下部に電力量計の接続端子と対応させて配設された複数の試験端子とを備え、その試験端子は、電力量計を架台上に載置することにより電力量計の自重でもって端子部の開口孔に挿入されて接続端子に電気的に接続される棒状をなすことを特徴とする。
【００１２】
本発明では、水平方向に対して所定の角度だけ傾斜した架台に電力量計を載置するだけで、電力量計をその自重でもって架台上で下方へ自動的に移動させることにより、その架台の下部に配設された棒状の試験端子が電力量計の端子部の開口孔にスムーズに挿入されてその端子部の接続端子に確実かつ容易に接続される。このように、試験端子に対する電力量計のセッティングが簡易に行えるので、電力量計の導通試験および絶縁抵抗試験を迅速に開始することができる。
【００１３】
本発明における試験端子は架台に対して着脱自在に装着され、接続端子の数および配列ピッチが異なる電力量計の種別に対応した複数種の試験端子を架台に着脱可能とした構造が望ましい。このようにすれば、接続端子の数および配列ピッチが異なる電力量計の種別に対応した複数種の試験端子のうちから、導通試験および絶縁抵抗試験を実施しようとする電力量計に対応した試験端子を選択して架台に装着することができ、電力量計の品種対応を迅速かつ容易に行うことができる。
【００１４】
本発明では、架台の側部に、電力量計本体の導電部位に電気的に接続されるアース端子を配設した構造が望ましい。このようにすれば、電力量計の絶縁抵抗試験を実施するに際して、アース端子により電力量計を容易に接地することができ、絶縁抵抗試験をスムーズに実施することができる。
【００１５】
本発明における試験端子は、電力量計の導通試験時に接点を閉成して導通試験を実施可能とする導通試験用リレーと、電力量計の絶縁抵抗試験時に接点を閉成して絶縁抵抗試験を実施可能とする絶縁抵抗試験用リレーとに接続されている構造が望ましい。このようにすれば、導通試験用リレーと絶縁抵抗試験用リレーとの切り替えにより、導通試験と絶縁抵抗試験とを迅速かつ容易に選択して実施することができる。
【発明の効果】
【００１６】
本発明によれば、水平方向に対して所定の角度だけ傾斜した架台に電力量計を載置するだけで、電力量計をその自重でもって架台上で下方へ自動的に移動させることにより、その架台の下部に配設された棒状の試験端子が電力量計の端子部の開口孔にスムーズに挿入されてその端子部の接続端子に確実かつ容易に接続される。このように、試験端子に対する電力量計のセッティングが簡易に行えるので、電力量計の導通試験および絶縁抵抗試験を迅速に開始することができる。その結果、電力量計の導通試験および絶縁抵抗試験における作業効率および信頼性を大幅に向上させることができ、その実用的価値は大きい。
【図面の簡単な説明】
【００１７】
【図１】本発明に係る電力量計試験装置の実施形態で、（Ａ）は試験装置全体の外観を示す正面図、（Ｂ）は（Ａ）の側面図である。
【図２】（Ａ）は図１（Ａ）の架台を示す拡大正面図、（Ｂ）は（Ａ）の側面図である。
【図３】（Ａ）は６０Ａ用試験端子の構造を示す背面図、（Ｂ）は（Ａ）の平面図、（Ｃ）は（Ａ）の側面図である。
【図４】（Ａ）は試験端子を取り外した状態の架台を示す正面図、（Ｂ）は（Ａ）の側面図である。
【図５】（Ａ）は３０Ａ用試験端子の構造を示す背面図、（Ｂ）は（Ａ）の平面図、（Ｃ）は（Ａ）の側面図である。
【図６】（Ａ）は１２０Ａ用試験端子の構造を示す背面図、（Ｂ）は（Ａ）の平面図、（Ｃ）は（Ａ）の側面図である。
【図７】（Ａ）は図２（Ａ）の架台に電力量計を載置した状態を示す正面図、（Ｂ）は（Ａ）の側面図である。
【図８】図１（Ａ）のアース端子の構造を示す拡大正面図である。
【図９】架台上の電力量計にアース端子を接続した状態を示す正面図である。
【図１０】試験装置の回路構成を示すブロック図である。
【図１１】導通試験時における電力量計と抵抗計との接続状態を示す回路配線図である。
【図１２】絶縁抵抗試験時における電力量計と絶縁抵抗計との接続状態を示す回路配線図である。
【図１３】ユニット式電力量計の一例を示す組立分解斜視図である。
【図１４】ユニット式電力量計の一例を示す組立完了斜視図である。
【発明を実施するための形態】
【００１８】
本発明に係る電力量計試験装置の実施形態を以下に詳述する。なお、以下の実施形態では、一般家庭、商店、工場やビルなどの電力需要家が使用する電力量を計測して表示するユニット式電力量計を例示するが、例えば、電気事業用計器、証明用取引計器および一般用計器などの機械式電力量計や電子式電力量計にも適用可能である。また、図では、交流単相３線式の電力量計を例示するが、交流単相２線式などその他の相線式の電力量計についても適用可能である。
【００１９】
この電力量計試験装置の試験対象物としてのユニット式電力量計１（以下、単に電力量計と称す）は、図１３および図１４に示すように、通信端局ユニット２、電力量計ユニット３および負荷開閉ユニット４が電力量計本体である金属製ベース５の上部に組み付けられると共に、送電系統からの引き込み線が接続される一次側接続端子６Ｓ〜８Ｓ（以下、単に接続端子と称す）および需要家側配線が接続される二次側接続端子６Ｌ〜８Ｌ（以下、単に接続端子と称す）を有する樹脂製の端子ブロック９がベース５の下部に固着された構造を具備する。
【００２０】
この電力量計１では、通信端局ユニット２、電力量計ユニット３および負荷開閉ユニット４を被覆する透明の保護カバー１０がねじ１１によりベース５の上部に締め付け固定されている。また、接続端子６Ｓ〜８Ｓ，６Ｌ〜８Ｌを被覆する金属製の端子カバー１２を端子ブロック９にねじ１３で取り付けることにより、端子部１４を構成する。この端子部１４における端子ブロック９の下端面に形成された開口孔１５から、送電系統からの引込み線が接続端子６Ｓ〜８Ｓに接続されると共に、需要家側配線が接続端子６Ｌ〜８Ｌに接続される。
【００２１】
ここで、前述した電力量計１は、端子部１４の端子カバー１２を端子ブロック９に取り付けた状態、つまり、製品出荷直前の最終段階で、導通試験および絶縁抵抗試験を実施することが可能である。この電力量計１の導通試験および絶縁抵抗試験を実施するための電力量計試験装置（以下、単に試験装置と称す）を以下に詳述する。
【００２２】
図１（Ａ）（Ｂ）は試験装置の外観を示す。この試験装置は、同図に示すように、金属製の枠状フレーム２１に後述の各構成部品を組み付けたもので、その枠状フレーム２１の下部にキャスタ２２を設けたことで移動可能とした可搬式の簡易な構造を具備する。
【００２３】
枠状フレーム２１の上段には、試験対象物である電力量計１が載置される平板状の架台２３が設置されている。架台２３の下部には、電力量計１における端子部１４の接続端子６Ｓ〜８Ｓ，６Ｌ〜８Ｌ（図１３参照）に電気的に接続される複数の試験端子２４が配設されている。架台２３の側部には、絶縁抵抗試験時にベース５を接地するためのアース端子２５が配設されている。また、枠状フレーム２１の中段には、導通試験時に回路の抵抗値を測定する抵抗計２６と、絶縁抵抗試験時に回路の絶縁抵抗値を測定する絶縁抵抗計２７とが設置されている。さらに、枠状フレーム２１の下段には、導通試験および絶縁抵抗試験を実施する上で各構成部品を制御する制御器２８が設置されている。なお、枠状フレーム２１の天部には、導通試験および絶縁抵抗試験の結果を表示する表示器２９が設置されている。また、枠状フレーム２１の上段側部には、導通試験および絶縁抵抗試験を開始するためのスイッチ３０が設けられている。
【００２４】
電力量計１が載置される架台２３は、水平方向に対して所定の角度θ（例えば４５°）〔図１（Ｂ）参照〕だけ傾斜して配置されている。この架台２３の下部に設けられた複数の試験端子２４は、図２（Ａ）（Ｂ）に示すように、電力量計１の端子部１４の下端面に形成された接続端子６Ｓ〜８Ｓ，６Ｌ〜８Ｌごとの開口孔１５に挿入されて接続端子６Ｓ〜８Ｓ，６Ｌ〜８Ｌ（図１３参照）に電気的に接続される棒状をなす。なお、図２（Ａ）（Ｂ）では、アース端子２５を図示省略している。
【００２５】
このように、架台２３を傾斜させることによりその架台２３上に電力量計１を載置するだけで、電力量計１をその自重でもって架台２３上で下方へ自動的に移動させることによって、その架台２３の下部に配設された棒状の試験端子２４が電力量計１の端子部１４の開口孔１５にスムーズに挿入されてその端子部１４の接続端子６Ｓ〜８Ｓ，６Ｌ〜８Ｌに確実かつ容易に接続される。このように、試験端子２４に対する電力量計１のセッティングが簡易に行えるので、導通試験および絶縁抵抗試験を迅速に開始することができる。
【００２６】
この試験端子２４は架台２３に対して着脱自在に装着され、接続端子６Ｓ〜８Ｓ，６Ｌ〜８Ｌの数および配列ピッチが異なる電力量計１の種別に対応した複数種の試験端子２４を架台２３に着脱可能とした構造としている。これにより、接続端子６Ｓ〜８Ｓ，６Ｌ〜８Ｌの数および配列ピッチが異なる電力量計１の種別に対応した複数種の試験端子２４のうちから、導通試験および絶縁抵抗試験を実施しようとする電力量計１に対応した試験端子２４を選択して架台２３に装着することができ、電力量計１の品種対応を迅速かつ容易に行うことができる。
【００２７】
図３（Ａ）〜（Ｃ）は、６０Ａ用電力量計に対応した６０Ａ用試験端子である。６個の試験端子２４が所定の配列ピッチで端子板３１に並設され、その端子板３１がＬ形フレーム３２を介して固定板３３に取り付けられている。試験端子２４は、端子板３１に対してばね３４の弾性力により突出する方向（架台２３の上方）に附勢された状態で退入自在に取り付けられている。一方、固定板３３の突部３５には、６個の接触端子３６がばね３７の弾性力により突出する方向に附勢された状態で退入自在に取り付けられ、この接触端子３６と端子板３１の試験端子２４とをリード線３８で電気的に接続している。
【００２８】
これに対して、図４（Ａ）（Ｂ）に示すように、架台２３の下部には、前述の固定板３３の突部３５が嵌合する凹部３９が設けられ、その凹部３９の底面に固定板３３の接触端子３６と対応させて６個の接触端子４０が配設された接続部４１が設けられている。この接触端子４０もばね４２の弾性力により突出する方向に附勢された状態で退入自在に取り付けられている。この架台２３の接触端子４０から延びるリード線４３は前述の制御器２８を介して抵抗計２６および絶縁抵抗計２７に電気的に接続されている。
【００２９】
この架台２３の接続部４１の凹部３９に固定板３３の突部３５を嵌合させ、その凹部３９の両側に設けられた蝶ねじ４４により固定板３３を固定する。これにより、接続部４１の接触端子４０と固定板３３の接触端子３６とを電気的に接続し、端子板３１の試験端子２４を架台２３の下部で上方に向けた状態で配置する。
【００３０】
なお、図２（Ａ）（Ｂ）および図３（Ａ）〜（Ｃ）に示す試験端子２４は、６０Ａ用のものであるが、その他に、図５（Ａ）〜（Ｃ）に示す３０Ａ用試験端子２４や、図６（Ａ）〜（Ｃ）に示す１２０Ａ用試験端子２４を用意することにより、３０Ａ用電力量計や１２０Ａ用電力量計についも対応可能でこの試験装置で導通試験および絶縁抵抗試験が実施可能である。
【００３１】
これら３０Ａ用試験端子２４および１２０Ａ用試験端子２４は、６０Ａ用試験端子２４とほぼ同一構造であり、架台２３の凹部３９に嵌合する固定板３３は、３種の試験端子２４について共通した構造で、同一の大きさおよび形状の接触端子３６が同一ピッチで配設されている。６０Ａ用試験端子２４と異なるのは、試験端子２４の数と配列ピッチである。４個の３０Ａ用試験端子２４と６個の１２０Ａ用試験端子２４は、６０Ａ用試験端子２４と配列ピッチが異なる。３０Ａ用試験端子２４と１２０Ａ用試験端子２４は、前述したように固定板３３の構造が６０Ａ用試験端子２４と同一であることから、電力量計１の種別に応じて架台２３に取り付け可能である。なお、以下、６０Ａ用試験端子２４について説明し、３０Ａ用試験端子２４と１２０Ａ用試験端子２４については説明を省略する。
【００３２】
導通試験時および絶縁抵抗試験時には、図７（Ａ）（Ｂ）に示すように、架台２３が水平方向に対して所定の角度θ（例えば４５°）だけ傾斜して配置されていることから、その架台２３上に電力量計１を載置するだけで、電力量計１をその自重でもって架台２３上で下方へ自動的に移動させることによって、その架台２３の下部に配設された棒状の試験端子２４が電力量計１の端子部１４の開口孔１５にスムーズに挿入されてその端子部１４の接続端子６Ｓ〜８Ｓ，６Ｌ〜８Ｌに確実かつ容易に接続される。なお、図７（Ａ）（Ｂ）では、アース端子２５を図示省略している。
【００３３】
前述の架台２３の側部に設けられたアース端子２５は、図８に示すような構造を具備する。アース端子２５は平板状の導電部材からなり、リード線４５が接続されている。このアース端子２５から延びるリード線４５は、制御器２８を介して絶縁抵抗計２７に電気的に接続されている。
【００３４】
一方、アース端子２５は、ばね４６の弾性力により突出する方向に附勢された状態でシリンダ先端部４７に退入自在に取り付けられている。シリンダ本体４８は取り付けブロック４９に装着され、その取り付けブロック４９はアーム５０を介してロッド５１に取り付けられている。このロッド５１は、架台２３の側部に水平方向に張り出すように固定されている。
【００３５】
前述のアーム５０は、取り付け部５２によりロッド５１に装着されており、ロッド５１に対して軸方向にスライド自在（図中Ａ矢印参照）で、かつ、軸周りに回転自在（図中Ｂ矢印参照）に装着されている。また、アーム５０は、取り付け部５２に設けられたツマミ５３を緩めることにより伸縮自在（図中Ｃ矢印参照）に長さ調整可能で回動自在（図中Ｄ矢印参照）な構造となっている。これにより、先端にアース端子２５が設けられた取り付けブロック４９は、首振り自在な構造となっている。
【００３６】
電力量計１の絶縁抵抗試験時には、架台２３の側部から張り出したロッド５１に対して取り付け部５２によりアーム５０を水平移動させて位置調整すると共に、ツマミ５３を緩めることによりアーム５０を伸縮させて長さ調整しながら回動させ、さらに、ロッド５１に対して軸周りで回転させることにより、取り付けブロック４９を首振り動作させる。これにより、その取り付けブロック４９の先端にあるアース端子２５を、ベース５に保護カバー１０を取り付けるためのねじ１１に近接配置する（図８破線参照）。
【００３７】
この状態で、シリンダ先端部４７をエア圧でもって突出動作させ、アース端子２５を前述のねじ１１に弾圧的に当接させる（図９参照）。このようにして、アース端子２５により電力量計１を容易に接地することができ、絶縁抵抗試験をスムーズに実施することができる。なお、ベース５の表面は、通常、塗装がなされていることから、導電部位であるカバー固定用ねじ１１にアース端子２５を接触させるようにしている。
【００３８】
図１０は試験装置の回路構成を示す。同図に示すように、制御器２８は、架台２３に設けられた試験端子２４およびアース端子２５に接続され、導通試験用の抵抗計２６および絶縁抵抗試験用の絶縁抵抗計２７に接続されている。また、この制御器２８は、後述する導通試験用リレー５４および絶縁抵抗試験用リレー５５を内蔵し、前述の試験端子２４は、制御器２８の導通試験用リレー５４および絶縁抵抗試験用リレー５５を介して抵抗計２６および絶縁抵抗計２７に接続され、アース端子２５は、制御器２８の絶縁抵抗試験用リレー５５を介して絶縁抵抗計２７に接続されている。さらに、制御器２８は、枠状フレーム２１に設けられた表示器２９に接続されている。
【００３９】
導通試験用リレー５４は、図１１に示すように、電力量計１の導通試験時に接点５６ａ〜５６ｄを閉成して導通試験を実施可能とし、絶縁抵抗試験用リレー５５は、図１２に示すように、電力量計１の絶縁抵抗試験時に接点５７ａ〜５７ｄを閉成して絶縁抵抗試験を実施可能とする。導通試験用リレー５４の接点５６ａ〜５６ｄを閉成すると共に絶縁抵抗試験用リレー５５の接点５７ａ〜５７ｄを開成することで導通試験を実施することが可能となり、また、絶縁抵抗試験用リレー５５の接点５７ａ〜５７ｄを閉成すると共に導通試験用リレー５４の接点５６ａ〜５６ｄを開成することで絶縁抵抗試験を実施することが可能となる。このように、導通試験用リレー５４と絶縁抵抗試験用リレー５５との切り替えにより、導通試験と絶縁抵抗試験とを迅速かつ容易に選択することができる。この導通試験用リレー５４と絶縁抵抗試験用リレー５５との切り替えは、前述の制御器２８で実行される。
【００４０】
次に、前述した構造を具備した試験装置による導通試験および絶縁抵抗試験の要領を以下に詳述する。
【００４１】
所定の角度θ（例えば４５°）だけ傾斜した架台２３上に電力量計１を載置する。電力量計１はその自重でもって架台２３上で下方へ自動的に移動し、その架台２３の下部に配設された棒状の試験端子２４が電力量計１の端子部１４の開口孔１５にスムーズに挿入されてその端子部１４の接続端子６Ｓ〜８Ｓ，６Ｌ〜８Ｌに確実かつ容易に接続される。このようにして、架台２３に電力量計１をセッティングした上で、アース端子２５を電力量計１のカバー固定用ねじ１１に近接させた状態で、スイッチ３０を押す。このスイッチ３０のオンに基づいて制御器２８によりアース端子２５をねじ１１に自動的に接触させる。この状態で、導通試験および絶縁抵抗試験を実施する。
【００４２】
まず、導通試験では、図１１に示すように、制御器２８により、導通試験用リレー５４の接点５６ａ〜５６ｄが全て閉成すると共に、絶縁抵抗試験用リレー５５の接点５７ａ〜５７ｄが全て開成する。この時、絶縁抵抗試験用リレー５５の接点５７ａが開成することによりアース端子２５は非接続状態にある。
【００４３】
このようにして、抵抗計２６、導通試験用リレー５４の接点５６ａ〜５６ｄ、試験端子２４、電力量計１の接続端子６Ｓ〜８Ｓ，６Ｌ〜８Ｌおよび内部回路Ｘ，Ｙ，Ｚ（図中一点鎖線参照）により閉ループ回路が形成される。つまり、閉ループ回路は、抵抗計２６−試験端子２４−接続端子８Ｌ−内部回路Ｘ−接続端子８Ｓ−試験端子２４−導通試験用リレー５４の接点５６ｃ−導通試験用リレー５４の接点５６ｂ−試験端子２４−接続端子７Ｓ−内部回路Ｙ−接続端子７Ｌ−導通試験用リレー５４の接点５６ｄ−試験端子２４−接続端子６Ｌ−内部回路Ｚ−接続端子６Ｓ−試験端子２４−導通試験用リレー５４の接点５６ａ−抵抗計２６で構成される。この閉ループ回路に電流が流れることにより抵抗計２６で測定される抵抗値が例えば１０Ω以下となれば、制御器２８で導通試験を「良」と判定し、表示器２９で導通試験の結果を表示する。
【００４４】
次に、絶縁抵抗試験では、図１２に示すように、制御器２８により、導通試験用リレー５４の接点５６ａ〜５６ｄが全て開成すると共に、絶縁抵抗試験用リレー５５の接点５７ａ〜５７ｄが全て閉成する。この絶縁抵抗試験用リレー５５の接点５７ａが閉成することによりアース端子２５は接続状態となる。
【００４５】
このようにして、電力量計１の内部回路Ｘ，Ｙ，Ｚ（図中一点鎖線参照）が接地状態となる。つまり、絶縁抵抗計２７−絶縁抵抗試験用リレー５５の接点５７ｂ，５７ｃ，５７ｄ−試験端子２４−接続端子６Ｌ，７Ｌ，８Ｌ−内部回路Ｘ，Ｙ，Ｚ−電力量計１のカバー固定用ねじ１１−アース端子２５−絶縁抵抗試験用リレー５５の接点５７ａ−絶縁抵抗計２７からなる接地回路が形成される。この接地回路において絶縁抵抗計２７で測定される絶縁抵抗値が例えば２０ＭΩ以上となれば、制御器２８で絶縁抵抗試験を「良」と判定し、表示器２９で絶縁抵抗試験の結果を表示する。
【００４６】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００４７】
１  電力量計（ユニット式電力量計）
５  電力量計本体（ベース）
６Ｓ〜８Ｓ  接続端子（一次側接続端子）
６Ｌ〜８Ｌ  接続端子（二次側接続端子）
１４  端子部
１５  開口孔
２３  架台
２４  試験端子
２５  アース端子
【図１】
2013044556.tif 000003
【図２】
2013044556.tif 000004
【図３】
2013044556.tif 000005
【図４】
2013044556.tif 000006
【図５】
2013044556.tif 000007
【図６】
2013044556.tif 000008
【図７】
2013044556.tif 000009
【図８】
2013044556.tif 000010
【図９】
2013044556.tif 000011
【図１０】
2013044556.tif 000012
【図１１】
2013044556.tif 000013
【図１２】
2013044556.tif 000014
【図１３】
2013044556.tif 000015
【図１４】
2013044556.tif 000016